(57)【要約】【課題】入力の振幅を変化させて出力する器具の出力のパワーを、入力の周波数に応じて、所望の値に近くなるように制御する。【解決手段】出力制御システム１は、制御信号に基づき振幅の変化率が制御される振幅変化器２と、振幅変化器の出力を減衰させて出力信号を出力し、減衰量が離散的に設定される離散的減衰器１４と、出力信号の測定結果を変化させる測定結果変化器１８と、入力信号が所定の周波数であるときの、制御信号の値と出力信号の値との対応関係を記録する設定電圧記録部２４と、入力信号の周波数に応じて、測定結果変化器１８の出力を補正する測定結果補正部４４と、入力信号の周波数に応じて、出力信号の目標値を補正する目標値補正部４２と、制御信号の値を設定する電圧設定部２６と、入力信号の周波数に応じて、減衰量を設定する減衰量設定部１２と、測定結果変化器１８による変化量を設定する変化量設定部１３とを備える。【選択図】図１０
2010011336.tif 000002
【特許請求の範囲】
【請求項１】
入力信号の振幅を変化させ、制御信号に基づき前記振幅の変化率が制御される振幅変化器と、
前記振幅変化器の出力を減衰させて出力信号を出力し、減衰量が離散的に設定される離散的減衰器と、
前記出力信号の測定結果を変化させる測定結果変化器と、
前記測定結果変化器の出力と、前記出力信号の目標値とに基づき、前記制御信号を設定する制御信号設定部と、
前記入力信号の周波数に応じて、前記減衰量を設定する減衰量設定部と、
前記出力信号が前記目標値の近傍をとるために好適な前記減衰量である理想減衰量と、前記離散的減衰器に設定された前記減衰量との差分に基づき、前記測定結果変化器による変化量を設定する変化量設定部と、
を備えた信号出力装置。
【請求項２】
請求項１に記載の信号出力装置であって、
前記離散的減衰器に設定できる前記減衰量は、前記入力信号の周波数の所定の範囲内で一定である、
信号出力装置。
【請求項３】
請求項１に記載の信号出力装置であって、
前記入力信号の周波数の所定の範囲内において、前記入力信号の周波数の変化に比例して、前記理想減衰量が変化するものとして、前記理想減衰量を近似した近似理想減衰量と、前記離散的減衰器に設定された前記減衰量との差分を、前記変化量とする、
信号出力装置。
【請求項４】
入力信号の振幅を変化させ、制御信号に基づき前記振幅の変化率が制御される振幅変化器と、
前記振幅変化器の出力を減衰させて出力信号を出力する減衰器と、
前記入力信号が所定の周波数であるときの、前記制御信号の値と前記出力信号の値との対応関係である所定対応関係を記録する関係記録部と、
前記入力信号の周波数に応じて、前記出力信号の目標値を、前記出力信号が目標値になるような前記制御信号の値に、前記所定対応関係において対応づけられた前記出力信号の値に補正する目標値補正部と、
前記目標値補正部の出力に、前記所定対応関係において対応づけられた前記制御信号の値を前記関係記録部から読み出して、前記制御信号の値とする制御信号設定部と、
を備えた信号出力装置。
【請求項５】
請求項４に記載の信号出力装置であって、
前記入力信号の周波数に応じて、前記出力信号の測定結果を、前記出力信号が測定結果になるような前記制御信号の値に、前記所定対応関係において対応づけられた前記出力信号の値に補正する測定結果補正部を備え、
前記制御信号設定部が、前記出力信号の測定後において、前記目標値補正部の出力と前記測定結果補正部の出力との差分に、前記目標値補正部の出力を加えたものに、前記所定対応関係において対応づけられた前記制御信号の値を前記関係記録部から読み出して、前記制御信号の値とする、
信号出力装置。
【請求項６】
請求項４に記載の信号出力装置であって、
前記目標値補正部が、前記所定対応関係と、前記入力信号が所定の周波数ではないときにおける前記制御信号の値と前記出力信号の値との対応関係との差分に基づき、前記目標値を補正する、
信号出力装置。
【請求項７】
請求項５に記載の信号出力装置であって、
前記測定結果補正部が、前記所定対応関係と、前記入力信号が所定の周波数ではないときにおける前記制御信号の値と前記出力信号の値との対応関係との差分に基づき、前記測定結果を補正する、
信号出力装置。
【請求項８】
入力信号の振幅を変化させ、制御信号に基づき前記振幅の変化率が制御される振幅変化器と、
前記振幅変化器の出力を減衰させて出力信号を出力し、減衰量が離散的に設定される離散的減衰器と、
前記出力信号の測定結果を変化させる測定結果変化器と、
前記入力信号が所定の周波数であるときの、前記制御信号の値と前記出力信号の値との対応関係である所定対応関係を記録する関係記録部と、
前記入力信号の周波数に応じて、前記測定結果変化器により変化された前記出力信号の測定結果を、前記出力信号が変化された測定結果になるような前記制御信号の値に、前記所定対応関係において対応づけられた前記出力信号の値に補正する測定結果補正部と、
前記入力信号の周波数に応じて、前記出力信号の目標値を、前記出力信号が目標値になるような前記制御信号の値に、前記所定対応関係において対応づけられた前記出力信号の値に補正する目標値補正部と、
前記目標値補正部の出力と前記測定結果補正部の出力との差分に、前記目標値補正部の出力を加えたものに、前記所定対応関係において対応づけられた前記制御信号の値を前記関係記録部から読み出して、前記制御信号の値とする制御信号設定部と、
前記入力信号の周波数に応じて、前記減衰量を設定する減衰量設定部と、
前記出力信号が前記目標値の近傍をとるために好適な前記減衰量である理想減衰量と、前記離散的減衰器に設定された前記減衰量との差分に基づき、前記測定結果変化器による変化量を設定する変化量設定部と、
を備えた信号出力装置。
【請求項９】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御方法であって、
前記出力信号の測定結果を変化させる測定結果変化工程と、
前記測定結果変化工程の出力と、前記出力信号の目標値とに基づき、前記制御信号を設定する制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、
を備えた信号出力制御方法。
【請求項１０】
入力信号の振幅を変化させ、制御信号に基づき前記振幅の変化率が制御される振幅変化器と、前記振幅変化器の出力を減衰させて出力信号を出力する減衰器とを有する信号出力装置における信号出力制御方法であって、
前記入力信号が所定の周波数であるときの、前記制御信号の値と前記出力信号の値との対応関係である所定対応関係を記録する関係記録工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正部の出力に、前記所定対応関係において対応づけられた前記制御信号の値を前記関係記録工程の記録内容から読み出して、前記制御信号の値とする制御信号設定工程と、
を備えた信号出力制御方法。
【請求項１１】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御方法であって、
前記出力信号の測定結果を変化させる測定結果変化工程と、
前記入力信号が所定の周波数であるときの、前記制御信号の値と前記出力信号の値との対応関係である所定対応関係を記録する関係記録工程と、
前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程と、
を備えた信号出力制御方法。
【請求項１２】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムであって、
前記信号出力制御処理は、
前記出力信号の測定結果を変化させる測定結果変化工程と、
前記測定結果変化工程の出力と、前記出力信号の目標値とに基づき、前記制御信号を設定する制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、
を備えたプログラム。
【請求項１３】
入力信号の振幅を変化させ、制御信号に基づき前記振幅の変化率が制御される振幅変化器と、前記振幅変化器の出力を減衰させて出力信号を出力する減衰器とを有する信号出力装置における信号出力制御処理をコンピュータに実行させるためのプログラムであって、
前記信号出力制御処理は、
前記入力信号が所定の周波数であるときの、前記制御信号の値と前記出力信号の値との対応関係である所定対応関係を記録する関係記録工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正部の出力に、前記所定対応関係において対応づけられた前記制御信号の値を前記関係記録工程の記録内容から読み出して、前記制御信号の値とする制御信号設定工程と、
を備えたプログラム。
【請求項１４】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムであって、
前記信号出力制御処理は、
前記出力信号の測定結果を変化させる測定結果変化工程と、
前記入力信号が所定の周波数であるときの、前記制御信号の値と前記出力信号の値との対応関係である所定対応関係を記録する関係記録工程と、
前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程と、
を備えたプログラム。
【請求項１５】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムを記録したコンピュータによって読み取り可能な記録媒体であって、
前記信号出力制御処理は、
前記出力信号の測定結果を変化させる測定結果変化工程と、
前記測定結果変化工程の出力と、前記出力信号の目標値とに基づき、前記制御信号を設定する制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、
を備えた記録媒体。
【請求項１６】
入力信号の振幅を変化させ、制御信号に基づき前記振幅の変化率が制御される振幅変化器と、前記振幅変化器の出力を減衰させて出力信号を出力する減衰器とを有する信号出力装置における信号出力制御処理をコンピュータに実行させるためのプログラムを記録したコンピュータによって読み取り可能な記録媒体であって、
前記信号出力制御処理は、
前記入力信号が所定の周波数であるときの、前記制御信号の値と前記出力信号の値との対応関係である所定対応関係を記録する関係記録工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正部の出力に、前記所定対応関係において対応づけられた前記制御信号の値を前記関係記録工程の記録内容から読み出して、前記制御信号の値とする制御信号設定工程と、
を備えた記録媒体。
【請求項１７】
入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムを記録したコンピュータによって読み取り可能な記録媒体であって、
前記信号出力制御処理は、
前記出力信号の測定結果を変化させる測定結果変化工程と、
前記入力信号が所定の周波数であるときの、前記制御信号の値と前記出力信号の値との対応関係である所定対応関係を記録する関係記録工程と、
前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、
前記入力信号の周波数に応じて、前記出力信号の目標値を、前記出力信号が目標値になるような前記制御信号の値に、前記所定対応関係において対応づけられた前記出力信号の値に補正する目標値補正工程と、
前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、
前記入力信号の周波数に応じて、前記減衰量を設定する減衰量設定工程と、
前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程と、
を備えた記録媒体。
【発明の詳細な説明】
【技術分野】
【０００１】
本発明は、信号のパワーの調整に関する。
【背景技術】
【０００２】
従来より、信号を可変ゲインアンプにより増幅して出力する装置であって、出力をピーク検波したものを、デジタル回路を用いて処理し（例えば、特許文献１の図１、要約を参照）、処理結果に基づき、可変ゲインアンプのゲインを制御することにより、可変ゲインアンプの出力のパワーを制御する装置が知られている。
【０００３】
【特許文献１】特開平１１−１５４８３９号公報
【発明の開示】
【発明が解決しようとする課題】
【０００４】
ここで、可変ゲインアンプに与える信号の周波数は、色々な値（すなわち、二種類以上の値）が考えられる。
【０００５】
このようなことは、可変ゲインアンプにより信号を増幅する場合に限らず、アッテネータ（減衰器）により信号を減衰させる場合でも同様に生ずる。
【０００６】
そこで、本発明は、入力の振幅を変化させて出力する器具の出力のパワーを、入力の周波数に応じて、所望の値に近くなるように制御することを課題とする。
【課題を解決するための手段】
【０００７】
本発明にかかる信号出力装置は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器と、前記出力信号の測定結果を変化させる測定結果変化器と、前記測定結果変化器の出力と、前記出力信号の目標値とに基づき、前記制御信号を設定する制御信号設定部と、前記入力信号の周波数に応じて、前記減衰量を設定する減衰量設定部と、前記出力信号が前記目標値の近傍をとるために好適な前記減衰量である理想減衰量と、前記離散的減衰器に設定された前記減衰量との差分に基づき、前記測定結果変化器による変化量を設定する変化量設定部とを備えるように構成される。
【０００８】
上記のように構成された信号出力装置によれば、振幅変化器が、入力信号の振幅を変化させ、制御信号に基づき前記振幅の変化率が制御される。離散的減衰器が、前記振幅変化器の出力を減衰させて出力信号を出力し、減衰量が離散的に設定される。測定結果変化器が、前記出力信号の測定結果を変化させる。制御信号設定部が、前記測定結果変化器の出力と、前記出力信号の目標値とに基づき、前記制御信号を設定する。減衰量設定部が、前記入力信号の周波数に応じて、前記減衰量を設定する。変化量設定部が、前記出力信号が前記目標値の近傍をとるために好適な前記減衰量である理想減衰量と、前記離散的減衰器に設定された前記減衰量との差分に基づき、前記測定結果変化器による変化量を設定する。
【０００９】
なお、本発明にかかる信号出力装置は、前記離散的減衰器に設定できる前記減衰量は、前記入力信号の周波数の所定の範囲内で一定であるようにしてもよい。
【００１０】
なお、本発明にかかる信号出力装置は、前記入力信号の周波数の所定の範囲内において、前記入力信号の周波数の変化に比例して、前記理想減衰量が変化するものとして、前記理想減衰量を近似した近似理想減衰量と、前記離散的減衰器に設定された前記減衰量との差分を、前記変化量とするようにしてもよい。
【００１１】
本発明にかかる信号出力装置は、入力信号の振幅を変化させ、制御信号に基づき前記振幅の変化率が制御される振幅変化器と、前記振幅変化器の出力を減衰させて出力信号を出力する減衰器と、前記入力信号が所定の周波数であるときの、前記制御信号の値と前記出力信号の値との対応関係である所定対応関係を記録する関係記録部と、前記入力信号の周波数に応じて、前記出力信号の目標値を、前記出力信号が目標値になるような前記制御信号の値に、前記所定対応関係において対応づけられた前記出力信号の値に補正する目標値補正部と、前記目標値補正部の出力に、前記所定対応関係において対応づけられた前記制御信号の値を前記関係記録部から読み出して、前記制御信号の値とする制御信号設定部とを備えるように構成される。
【００１２】
上記のように構成された信号出力装置によれば、振幅変化器が、入力信号の振幅を変化させ、制御信号に基づき前記振幅の変化率が制御される。減衰器が、前記振幅変化器の出力を減衰させて出力信号を出力する。関係記録部が、前記入力信号が所定の周波数であるときの、前記制御信号の値と前記出力信号の値との対応関係である所定対応関係を記録する。目標値補正部が、前記入力信号の周波数に応じて、前記出力信号の目標値を、前記出力信号が目標値になるような前記制御信号の値に、前記所定対応関係において対応づけられた前記出力信号の値に補正する。制御信号設定部が、前記目標値補正部の出力に、前記所定対応関係において対応づけられた前記制御信号の値を前記関係記録部から読み出して、前記制御信号の値とする。
【００１３】
なお、本発明にかかる信号出力装置は、前記入力信号の周波数に応じて、前記出力信号の測定結果を、前記出力信号が測定結果になるような前記制御信号の値に、前記所定対応関係において対応づけられた前記出力信号の値に補正する測定結果補正部を備え、前記制御信号設定部が、前記出力信号の測定後において、前記目標値補正部の出力と前記測定結果補正部の出力との差分に、前記目標値補正部の出力を加えたものに、前記所定対応関係において対応づけられた前記制御信号の値を前記関係記録部から読み出して、前記制御信号の値とするようにしてもよい。
【００１４】
なお、本発明にかかる信号出力装置は、前記目標値補正部が、前記所定対応関係と、前記入力信号が所定の周波数ではないときにおける前記制御信号の値と前記出力信号の値との対応関係との差分に基づき、前記目標値を補正するようにしてもよい。
【００１５】
なお、本発明にかかる信号出力装置は、前記測定結果補正部が、前記所定対応関係と、前記入力信号が所定の周波数ではないときにおける前記制御信号の値と前記出力信号の値との対応関係との差分に基づき、前記測定結果を補正するようにしてもよい。
【００１６】
本発明にかかる信号出力装置は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器と、前記出力信号の測定結果を変化させる測定結果変化器と、前記入力信号が所定の周波数であるときの、前記制御信号の値と前記出力信号の値との対応関係である所定対応関係を記録する関係記録部と、前記入力信号の周波数に応じて、前記測定結果変化器により変化された前記出力信号の測定結果を、前記出力信号が変化された測定結果になるような前記制御信号の値に、前記所定対応関係において対応づけられた前記出力信号の値に補正する測定結果補正部と、前記入力信号の周波数に応じて、前記出力信号の目標値を、前記出力信号が目標値になるような前記制御信号の値に、前記所定対応関係において対応づけられた前記出力信号の値に補正する目標値補正部と、前記目標値補正部の出力と前記測定結果補正部の出力との差分に、前記目標値補正部の出力を加えたものに、前記所定対応関係において対応づけられた前記制御信号の値を前記関係記録部から読み出して、前記制御信号の値とする制御信号設定部と、前記入力信号の周波数に応じて、前記減衰量を設定する減衰量設定部と、前記出力信号が前記目標値の近傍をとるために好適な前記減衰量である理想減衰量と、前記離散的減衰器に設定された前記減衰量との差分に基づき、前記測定結果変化器による変化量を設定する変化量設定部とを備えるように構成される。
【００１７】
上記のように構成された信号出力装置によれば、振幅変化器が、入力信号の振幅を変化させ、制御信号に基づき前記振幅の変化率が制御される。離散的減衰器が、前記振幅変化器の出力を減衰させて出力信号を出力し、減衰量が離散的に設定される。測定結果変化器が、前記出力信号の測定結果を変化させる。関係記録部が、前記入力信号が所定の周波数であるときの、前記制御信号の値と前記出力信号の値との対応関係である所定対応関係を記録する。測定結果補正部が、前記入力信号の周波数に応じて、前記測定結果変化器により変化された前記出力信号の測定結果を、前記出力信号が変化された測定結果になるような前記制御信号の値に、前記所定対応関係において対応づけられた前記出力信号の値に補正する。目標値補正部が、前記入力信号の周波数に応じて、前記出力信号の目標値を、前記出力信号が目標値になるような前記制御信号の値に、前記所定対応関係において対応づけられた前記出力信号の値に補正する。制御信号設定部が、前記目標値補正部の出力と前記測定結果補正部の出力との差分に、前記目標値補正部の出力を加えたものに、前記所定対応関係において対応づけられた前記制御信号の値を前記関係記録部から読み出して、前記制御信号の値とする。減衰量設定部が、前記入力信号の周波数に応じて、前記減衰量を設定する。変化量設定部が、前記出力信号が前記目標値の近傍をとるために好適な前記減衰量である理想減衰量と、前記離散的減衰器に設定された前記減衰量との差分に基づき、前記測定結果変化器による変化量を設定する。
【００１８】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御方法であって、前記出力信号の測定結果を変化させる測定結果変化工程と、前記測定結果変化工程の出力と、前記出力信号の目標値とに基づき、前記制御信号を設定する制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、を備えた信号出力制御方法である。
【００１９】
本発明は、入力信号の振幅を変化させ、制御信号に基づき前記振幅の変化率が制御される振幅変化器と、前記振幅変化器の出力を減衰させて出力信号を出力する減衰器とを有する信号出力装置における信号出力制御方法であって、前記入力信号が所定の周波数であるときの、前記制御信号の値と前記出力信号の値との対応関係である所定対応関係を記録する関係記録工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正部の出力に、前記所定対応関係において対応づけられた前記制御信号の値を前記関係記録工程の記録内容から読み出して、前記制御信号の値とする制御信号設定工程と、を備えた信号出力制御方法である。
【００２０】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御方法であって、前記出力信号の測定結果を変化させる測定結果変化工程と、前記入力信号が所定の周波数であるときの、前記制御信号の値と前記出力信号の値との対応関係である所定対応関係を記録する関係記録工程と、前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程と、を備えた信号出力制御方法である。
【００２１】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムであって、前記信号出力制御処理は、前記出力信号の測定結果を変化させる測定結果変化工程と、前記測定結果変化工程の出力と、前記出力信号の目標値とに基づき、前記制御信号を設定する制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、を備えたプログラムである。
【００２２】
本発明は、入力信号の振幅を変化させ、制御信号に基づき前記振幅の変化率が制御される振幅変化器と、前記振幅変化器の出力を減衰させて出力信号を出力する減衰器とを有する信号出力装置における信号出力制御処理をコンピュータに実行させるためのプログラムであって、前記信号出力制御処理は、前記入力信号が所定の周波数であるときの、前記制御信号の値と前記出力信号の値との対応関係である所定対応関係を記録する関係記録工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正部の出力に、前記所定対応関係において対応づけられた前記制御信号の値を前記関係記録工程の記録内容から読み出して、前記制御信号の値とする制御信号設定工程と、を備えたプログラムである。
【００２３】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムであって、前記信号出力制御処理は、前記出力信号の測定結果を変化させる測定結果変化工程と、前記入力信号が所定の周波数であるときの、前記制御信号の値と前記出力信号の値との対応関係である所定対応関係を記録する関係記録工程と、前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程と、を備えたプログラムである。
【００２４】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムを記録したコンピュータによって読み取り可能な記録媒体であって、前記信号出力制御処理は、前記出力信号の測定結果を変化させる測定結果変化工程と、前記測定結果変化工程の出力と、前記出力信号の目標値とに基づき、前記制御信号を設定する制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化器による変化量を設定する変化量設定工程と、を備えた記録媒体である。
【００２５】
本発明は、入力信号の振幅を変化させ、制御信号に基づき前記振幅の変化率が制御される振幅変化器と、前記振幅変化器の出力を減衰させて出力信号を出力する減衰器とを有する信号出力装置における信号出力制御処理をコンピュータに実行させるためのプログラムを記録したコンピュータによって読み取り可能な記録媒体であって、前記信号出力制御処理は、前記入力信号が所定の周波数であるときの、前記制御信号の値と前記出力信号の値との対応関係である所定対応関係を記録する関係記録工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正部の出力に、前記所定対応関係において対応づけられた前記制御信号の値を前記関係記録工程の記録内容から読み出して、前記制御信号の値とする制御信号設定工程と、を備えた記録媒体である。
【００２６】
本発明は、入力信号の振幅を変化させ、制御信号に基づき前記振幅の変化率が制御される振幅変化器と、前記振幅変化器の出力を減衰させて出力信号を出力し、減衰量が離散的に設定される離散的減衰器とを有する信号出力装置における信号出力制御処理をコンピュータに実行させるためのプログラムを記録したコンピュータによって読み取り可能な記録媒体であって、前記信号出力制御処理は、前記出力信号の測定結果を変化させる測定結果変化工程と、前記入力信号が所定の周波数であるときの、前記制御信号の値と前記出力信号の値との対応関係である所定対応関係を記録する関係記録工程と、前記入力信号の周波数に応じて、前記測定結果変化工程により変化された前記出力信号の測定結果を、前記出力信号が変化された測定結果になるような前記制御信号の値に、前記所定対応関係において対応づけられた前記出力信号の値に補正する測定結果補正工程と、前記入力信号の周波数に応じて、前記出力信号の目標値を、前記出力信号が目標値になるような前記制御信号の値に、前記所定対応関係において対応づけられた前記出力信号の値に補正する目標値補正工程と、前記目標値補正工程の出力と前記測定結果補正工程の出力との差分に、前記目標値補正工程の出力を加えたものに、前記所定対応関係において対応づけられた前記制御信号の値を前記関係記録工程の記録内容から読み出して、前記制御信号の値とする制御信号設定工程と、前記入力信号の周波数に応じて、前記減衰量を設定する減衰量設定工程と、前記出力信号が前記目標値の近傍をとるために好適な前記減衰量である理想減衰量と、前記離散的減衰器に設定された前記減衰量との差分に基づき、前記測定結果変化工程による変化量を設定する変化量設定工程とを備えた記録媒体である。
【発明を実施するための最良の形態】
【００２７】
以下、本発明の実施形態を図面を参照しながら説明する。
【００２８】
第一の実施形態
図１は、本発明の第一の実施形態にかかる出力制御システム１の構成を示すブロック図である。出力制御システム１は、可変ゲイン減衰器（振幅変化器）２、Ａ／Ｄ変換器４、Ｄ／Ａ変換器６、入力信号源１０、減衰量設定部１２、変化量設定部１３、1.25dBステップ減衰器（離散的減衰器）１４、電力測定部１６、測定結果変化器１８、目標電力入力部２０、スイッチ２２、設定電圧記録部（関係記録部）２４、電圧設定部（制御信号設定部）２６、減算器３２、フリップフロップ３４、加算器３６を備える。
【００２９】
可変ゲイン減衰器（振幅変化器）２は、アナログの入力信号（例えば、交流電圧）を受け、その振幅を変化させて出力する。なお、可変ゲイン減衰器２の振幅の変化率（＝出力信号の振幅／入力信号の振幅）は、可変ゲイン減衰器２に与えられる制御信号の値（電圧）に基づき、制御される。なお、可変ゲイン減衰器２は減衰器なので、変化率＜１である。
【００３０】
なお、本発明の実施形態においては、可変ゲイン減衰器２を使用しているが、可変ゲイン増幅器（変化率＞１）を使用してもよい。
【００３１】
1.25dBステップ減衰器（離散的減衰器）１４は、可変ゲイン減衰器２の出力を減衰させて出力信号を出力する。なお、1.25dBステップ減衰器が、入力された信号をどれだけ減衰させるか（減衰量）は、離散的に設定されている。
【００３２】
入力信号源１０は、入力信号を出力する。
【００３３】
減衰量設定部１２は入力信号の周波数finに応じて、1.25dBステップ減衰器１４の減衰量を設定する。
【００３４】
図２は、1.25dBステップ減衰器１４による減衰量および測定結果変化器１８による変化量を示す図である。なお、図２においては、1.25dBステップ減衰器１４による減衰量を、離散的減衰量という。
【００３５】
図２を参照して、出力信号の電力が目標値の近傍となるのに好適な1.25dBステップ減衰器１４の減衰量と、入力信号の周波数との関係が、曲線Ｌのようなものであるとする（例えば、入力信号の周波数が低いほど、入力信号の電力が小さい場合である）。曲線Ｌにより表される減衰量を理想減衰量という。
【００３６】
減衰量設定部１２は、入力信号の周波数finを所定の範囲に分けて、所定の範囲内で減衰量を一定にさせる。しかも、減衰量は1.25dBずつ異なった値にしかできないものとする。例えば、減衰量が16.25dB、17.5dB、18.75dB、20dB、21.25dBの内のいずれかの値しかとれないようにする。
【００３７】
例えば、入力信号の周波数が120MHz以上152MHz未満の範囲においては、範囲の左端（周波数が最小）の120MHzにおいて、曲線Ｌに最も近い減衰量17.5dBを、その範囲における減衰量として設定する。すなわち、入力信号の周波数が120MHz以上152MHz未満であれば、1.25dBステップ減衰器１４が17.5dBだけ入力信号の電力を減衰させるように、減衰量設定部１２が減衰量を設定する。
【００３８】
なお、同様に、入力信号の周波数が152MHz以上184MHz未満の範囲においては、範囲の左端（周波数が最小）の152MHzにおいて、曲線Ｌに最も近い減衰量20dBを、その範囲における減衰量として設定する。入力信号の周波数が184MHz以上216MHz未満の範囲においては、範囲の左端（周波数が最小）の184MHzにおいて、曲線Ｌに最も近い減衰量20dBを、その範囲における減衰量として設定する。
【００３９】
なお、これまで、範囲の左端（周波数が最小）における曲線Ｌに最も近い減衰量を、その範囲における減衰量とする例を説明してきた。しかし、範囲の左端に限らず、範囲内のいずれかの周波数（例えば、範囲の右端（周波数が最大）、範囲の中央など）における曲線Ｌに最も近い減衰量を、その範囲における減衰量とするようにしてもよい。
【００４０】
Ａ／Ｄ変換器４は、1.25dBステップ減衰器１４から出力信号を受け、デジタル化して、電力測定部１６に与える。
【００４１】
電力測定部１６は、Ａ／Ｄ変換器４からデジタル化された出力信号を受け、電力を測定する。
【００４２】
測定結果変化器１８は、出力信号の測定結果を変化させる。
【００４３】
変化量設定部１３は、理想減衰量（曲線Ｌ）と、1.25dBステップ減衰器１４に設定できる減衰量との差分に基づき、測定結果変化器１８による変化量を設定する。
【００４４】
図２を参照して、入力信号の周波数が120MHz以上152MHz未満の範囲のある値X[MHz]であるときの変化量を設定するとする。
【００４５】
ここで、入力信号の周波数が120MHz以上152MHz未満の範囲において、入力信号の周波数の変化に比例して、理想減衰量が変化するものとして、理想減衰量を近似したものを近似理想減衰量という。近似理想減衰量は直線Ｌ１のように表される。すなわち、入力信号の周波数が120MHzのときの理想減衰量（曲線Ｌ）の点と、入力信号の周波数が152MHzのときの理想減衰量（曲線Ｌ）の点とを結んだ直線が、近似理想減衰量（直線Ｌ１）である。
【００４６】
変化量設定部１３は、理想減衰量（曲線Ｌ）と、1.25dBステップ減衰器１４に設定された減衰量17.5dBとの差分に基づき、変化量を設定する。すなわち、変化量設定部１３は、理想減衰量（曲線Ｌ）を近似理想減衰量（直線Ｌ１）と近似し、近似理想減衰量（直線Ｌ１）と、1.25dBステップ減衰器１４に設定された減衰量17.5dBとの差分を変化量とする。
【００４７】
近似理想減衰量（直線Ｌ１）の傾きをａ、入力信号の周波数が120MHzにおける理想減衰量と17.5dBとの差をΔY0（＞０）とすると、変化量ΔYは、a（X−120）−ΔY0となる。すなわち、測定結果変化器１８が、変化量ΔYだけ、出力信号の測定結果を減衰させるように、変化量設定部１３が設定を行う。
【００４８】
目標電力入力部２０は、出力信号の電力の目標値である目標電力P0を入力するためのものである。
【００４９】
スイッチ２２は、（ａ）目標電力入力部２０の出力を、電圧設定部２６に与える状態（図４参照）、または、（ｂ）加算器３６の出力を、電圧設定部２６に与える状態（図５参照）を実現する。
【００５０】
設定電圧記録部（関係記録部）２４は、入力信号が所定の周波数（例えば、2GHz）であるときの、制御信号の値（電圧）と出力信号の値（電力）との対応関係である所定対応関係を記録する。なお、設定電圧記録部２４は、所定対応関係を、出力信号の値（電力）の関数（例えば、四次関数）として記録してもよい。
【００５１】
図３は、所定対応関係を示す図である。
【００５２】
電圧設定部（制御信号設定部）２６は、目標電力入力部２０の出力（図４参照）、または、加算器３６の出力（図５参照）に、所定対応関係において対応づけられた制御信号の値を関係記録部２４から読み出して、制御信号の値（電圧）とする。
【００５３】
図３を参照して、目標電力入力部２０の出力P0が電圧設定部２６に与えられると、制御信号の値（設定電圧）がV0となる。
【００５４】
減算器３２は、目標電力入力部２０の出力から測定結果変化器１８の出力を減算する。
【００５５】
フリップフロップ３４は、電圧設定部２６に与えられた信号を記録する。フリップフロップ３４は、例えば、目標電力入力部２０の出力を記録する。
【００５６】
加算器３６は、フリップフロップ３４の出力に、減算器３２の出力を加算する。電圧設定部２６は、加算器３６の出力（目標電力入力部２０の出力から測定結果変化器１８の出力を減算したものに、フリップフロップ３４の出力を加えたもの）に基づき、制御信号の値を設定している。よって、電圧設定部２６は、測定結果変化器１８の出力と、出力信号の目標値（目標電力入力部２０の出力）とに基づき、制御信号を設定するものといえる。
【００５７】
Ｄ／Ａ変換器６は、電圧設定部２６から制御信号を受け、アナログ化して、可変ゲイン減衰器２に与える。
【００５８】
次に、第一の実施形態の動作を説明する。
【００５９】
まず、出力制御システム１は、図４に示す状態をとる。
【００６０】
図４は、第一の実施形態において、目標電力入力部２０の出力を、電圧設定部２６に与える状態の出力制御システム１の動作を説明するための図である。
【００６１】
まず、目標電力入力部２０から、スイッチ２２を介して、出力信号の電力の目標値である目標電力P0が電圧設定部２６に与えられる。なお、フリップフロップ３４は、目標電力P0を受け、記録する。
【００６２】
電圧設定部２６は、目標電力P0に対応する制御信号の値V0を読み出して、制御信号の値（電圧）をV0に設定し、電圧V0を有する制御信号を出力する。電圧設定部２６の出力する制御信号は、Ｄ／Ａ変換器６に与えられる。Ｄ／Ａ変換器６は、制御信号をアナログ化して、可変ゲイン減衰器２に与える。制御信号（電圧V0）が可変ゲイン減衰器２に与えられると、図３を参照して、可変ゲイン減衰器２の出力が1.25dBステップ減衰器１４により減衰されて出力される出力信号の電力は目標電力P0となるはずである。しかし、実際には、電力P1（≠P0）になってしまう。
【００６３】
次に、出力制御システム１は、図５に示す状態をとる。
【００６４】
図５は、第一の実施形態において、加算器３６の出力を、電圧設定部２６に与える状態の出力制御システム１の動作を説明するための図である。
【００６５】
1.25dBステップ減衰器１４の出力する出力信号は、Ａ／Ｄ変換器４によりデジタル化され、電力測定部１６に与えられる。電力測定部１６は、電力を測定し、電力P1を得る。
【００６６】
電力P1は、測定結果変化器１８により変化され、電力P1’（＝P1−ΔY）となる。電力P1’は、図２に示す例では、電力P1をより減衰させたものとなる。電力P1’は、可変ゲイン減衰器２の出力を理想減衰量（曲線Ｌ）だけ減衰させた値に、電力P1よりも近くなる。よって、出力信号の電力が目標値の近傍となるのに好適になる。
【００６７】
減算器３２はP0−P1’を出力する。フリップフロップ３４は、P0を記録している。よって、加算器３６は、P0−P1’＋P0＝2P0−P1’を出力する。
【００６８】
例えば、P1’＞P0とすると、2P0−P1’＜P0となる。この場合、測定結果が大きすぎるので、電圧（制御信号の値）を大きくして、出力信号の電力を小さくすべきである。
【００６９】
図３を参照して、電圧設定部２６は、2P0−P1’に対応する制御信号の値V1を、設定電圧記録部２４から読み出して、電圧V1を有する制御信号を出力する。制御信号の電圧が大きくなるので、出力信号の電力が小さくなる。
【００７０】
電圧設定部２６の出力する制御信号は、Ｄ／Ａ変換器６に与えられる。Ｄ／Ａ変換器６は、制御信号をアナログ化して、可変ゲイン減衰器２に与える。制御信号（値V1）が可変ゲイン減衰器２に与えられると、出力信号の電力はP2になる。
【００７１】
なお、出力制御システム１が、図５に示す状態をとり続ければ、図５を参照して説明した上記の動作と同様な動作を引き続き行うことになる。
【００７２】
第一の実施形態によれば、測定結果変化器１８により、出力信号の測定結果が変化して、出力信号の測定結果が目標値の近傍となるのに好適な値に近づくので、出力信号の測定結果が目標値に近くなりやすい。
【００７３】
第二の実施形態
図６は、本発明の第二の実施形態にかかる出力制御システム１の構成を示すブロック図である。出力制御システム１は、可変ゲイン減衰器（振幅変化器）２、Ａ／Ｄ変換器４、Ｄ／Ａ変換器６、入力信号源１０、1.25dBステップ減衰器１４、電力測定部１６、目標電力入力部２０、スイッチ２２、設定電圧記録部（関係記録部）２４、電圧設定部（制御信号設定部）２６、減算器３２、フリップフロップ３４、加算器３６、周波数特性記録部４０、目標値補正部４２、測定結果補正部４４を備える。
【００７４】
可変ゲイン減衰器（振幅変化器）２、Ａ／Ｄ変換器４、Ｄ／Ａ変換器６、入力信号源１０、電力測定部１６、目標電力入力部２０、設定電圧記録部（関係記録部）２４、電圧設定部（制御信号設定部）２６は第一の実施形態と同様であり説明を省略する。
【００７５】
ただし、電圧設定部（制御信号設定部）２６は、目標値補正部４２の出力（図８参照）、または、加算器３６の出力（図９参照）に、所定対応関係において対応づけられた制御信号の値を関係記録部２４から読み出して、制御信号の値（電圧）とする。
【００７６】
1.25dBステップ減衰器１４は、可変ゲイン減衰器２の出力を減衰させて出力信号を出力する。1.25dBステップ減衰器１４の減衰量は、例えば、離散的に設定されていてもよい（図２参照）。
【００７７】
目標値補正部４２は、入力信号の周波数finに応じて、目標電力入力部２０から受けた出力信号の目標値を、出力信号が目標値になるような制御信号の値に、所定対応関係において対応づけられた出力信号の値に補正する。
【００７８】
測定結果補正部４４は、入力信号の周波数finに応じて、電力測定部１６から受けた出力信号の測定結果を、出力信号が測定結果になるような制御信号の値に、所定対応関係において対応づけられた出力信号の値に補正する。
【００７９】
なお、目標値補正部４２および測定結果補正部４４は、周波数特性記録部４０の記録内容を参照して、出力信号の目標値および測定結果を補正する。周波数特性記録部４０は、出力信号の目標値および測定結果（補正前）と、出力信号の目標値および測定結果（補正後）とを対応づけて記録する。
【００８０】
図７は、目標値補正部４２による出力信号の目標値の補正法を説明するための図である。図７においては、入力信号の周波数がfin（2GHzではない）のときの制御信号の値（設定電圧）と出力信号の値（電力）との関係を実線の曲線Ｒで、入力信号の周波数が2GHzであるときの制御信号の値（設定電圧）と出力信号の値（電力）との関係（所定対応関係）を点線の曲線Ｌで図示している。
【００８１】
目標値補正部４２は、目標電力入力部２０から出力信号の目標値P0を受ける。このとき、曲線Ｒを参照すれば、制御信号の値はV0であるべきである。しかし、設定電圧記録部（関係記録部）２４には、所定対応関係（曲線Ｌ）が記録されている。よって、電圧設定部２６に目標値P0を与えると、曲線Ｌを参照して、制御信号の値はV0’（＞V0）となってしまう。すると、出力信号の値（電力）はP0’（＜P0）になってしまう。
【００８２】
そこで、目標値補正部４２は、出力信号が目標値P0になるような制御信号の値V0（曲線Ｒを参照）に、所定対応関係（曲線Ｌ）において対応づけられた出力信号の値P0mに、目標値P0を補正する。すなわち、目標値補正部４２は、目標値P0を受け、補正された目標値P0mを出力する。周波数特性記録部４０は、目標値P0と補正された目標値P0mとを対応づけて記録しておく。
【００８３】
なお、測定結果補正部４４も同様に出力信号の測定結果を補正する。
【００８４】
ただし、周波数特性記録部４０は、出力信号の目標値および測定結果（補正前）と、出力信号の目標値および測定結果（補正後）との差分を記録しておいてもよいし、その差分を出力信号の目標値および測定結果（補正前）の関数（例えば、二次関数）として記録しておいてもよい。この差分を用いて、目標値補正部４２および測定結果補正部４４が補正を行ってもよい。
【００８５】
例えば、出力信号の目標値（補正前）P0に、出力信号の目標値（補正前）と出力信号の目標値（補正後）との差分ΔPが対応づけて周波数特性記録部４０に記録されていれば、目標値補正部４２が出力信号の目標値P0をP0m(＝P0＋ΔP)に補正する。差分ΔPは、所定対応関係（曲線Ｌ）と、入力信号が所定の周波数ではないときにおける制御信号の値と出力信号の値との対応関係（曲線Ｒ）との、設定電圧V0における差分であるといえる。
【００８６】
このように、目標値補正部４２が、所定対応関係と、入力信号が所定の周波数ではないときにおける制御信号の値と出力信号の値との対応関係との差分に基づき、目標値を補正するようにしてもよい。
【００８７】
例えば、出力信号の測定結果（補正前）P0に、出力信号の測定結果（補正前）と出力信号の測定結果（補正後）との差分ΔPが対応づけて周波数特性記録部４０に記録されていれば、測定結果補正部４４が出力信号の測定結果P0をP0m(＝P0＋ΔP)に補正する。
【００８８】
このように、測定結果補正部４４が、所定対応関係と、入力信号が所定の周波数ではないときにおける制御信号の値と出力信号の値との対応関係との差分に基づき、測定結果を補正するようにしてもよい。
【００８９】
スイッチ２２は、（ａ）目標値補正部４２の出力を、電圧設定部２６に与える状態（図８参照）、または、（ｂ）加算器３６の出力を、電圧設定部２６に与える状態（図９参照）を実現する。
【００９０】
減算器３２は、目標値補正部４２の出力から測定結果補正部４４の出力を減算する。
【００９１】
フリップフロップ３４は、電圧設定部２６に与えられた信号を記録する。フリップフロップ３４は、例えば、目標値補正部４２の出力を記録する。
【００９２】
加算器３６は、フリップフロップ３４の出力に、減算器３２の出力を加算する。
【００９３】
次に、第二の実施形態の動作を説明する。
【００９４】
まず、出力制御システム１は、図８に示す状態をとる。
【００９５】
図８は、第二の実施形態において、目標電力入力部２０の出力を、電圧設定部２６に与える状態の出力制御システム１の動作を説明するための図である。
【００９６】
まず、目標電力入力部２０から目標電力P0が目標値補正部４２に与えられる。目標値補正部４２は、目標電力P0を補正してP0mとする（図７参照）。目標値補正部４２の出力P0mは、スイッチ２２を介して、電圧設定部２６に与えられる。なお、フリップフロップ３４は、補正された目標電力P0mを受け、記録する。
【００９７】
電圧設定部２６は、所定対応関係（曲線Ｌ：図７参照）において、補正された目標電力P0m（目標値補正部４２の出力）に対応する制御信号の値V0（図７参照）を、設定電圧記録部（関係記録部）２４から、読み出して、制御信号の値（電圧）をV0に設定し、電圧V0を有する制御信号を出力する。
【００９８】
電圧設定部２６の出力する制御信号は、Ｄ／Ａ変換器６に与えられる。Ｄ／Ａ変換器６は、制御信号をアナログ化して、可変ゲイン減衰器２に与える。制御信号（電圧V0）が可変ゲイン減衰器２に与えられると、図７を参照して、可変ゲイン減衰器２の出力が1.25dBステップ減衰器１４により減衰されて出力される出力信号の電力は目標電力P0となるはずである。しかし、実際には、電力P1（≠P0）になってしまう。
【００９９】
次に、出力制御システム１は、図９に示す状態をとる。
【０１００】
図９は、第二の実施形態において、加算器３６の出力を、電圧設定部２６に与える状態の出力制御システム１の動作を説明するための図である。
【０１０１】
1.25dBステップ減衰器１４の出力する出力信号は、Ａ／Ｄ変換器４によりデジタル化され、電力測定部１６に与えられる。電力測定部１６は、電力を測定し、電力P1を得る。
【０１０２】
電力P1は、測定結果補正部４４により補正され、電力P1mとなるものとする。
【０１０３】
減算器３２はP0m−P1mを出力する。フリップフロップ３４は、P0mを記録している。よって、加算器３６は、P0m−P1m＋P0m＝2P0m−P1mを出力する。すなわち、加算器３６は、電力測定部１６の測定後において、目標値補正部４２の出力P0mと測定結果補正部４４の出力P1mとの差分P0m−P1m（減算器３２の出力）に、目標値補正部４２の出力P0m（フリップフロップ３４の出力）を加えたもの2P0m−P1mを出力する。
【０１０４】
例えば、P1m＞P0mとすると、2P0m−P1m＜P0mとなる。この場合、測定結果が大きすぎるので、電圧（制御信号の値）を大きくして、出力信号の電力を小さくすべきである。
【０１０５】
電圧設定部２６は、所定対応関係において、2P0m−P1mに対応する制御信号の値V1を設定電圧記録部２４から読み出して、電圧V1を有する制御信号を出力する。制御信号の電圧が大きくなるので、出力信号の電力が小さくなる。
【０１０６】
電圧設定部２６の出力する制御信号は、Ｄ／Ａ変換器６に与えられる。Ｄ／Ａ変換器６は、制御信号をアナログ化して、可変ゲイン減衰器２に与える。制御信号（値V1）が可変ゲイン減衰器２に与えられると、出力信号の電力はP2になる。
【０１０７】
なお、出力制御システム１が、図９に示す状態をとり続ければ、図９を参照して説明した上記の動作と同様な動作を引き続き行うことになる。
【０１０８】
第二の実施形態によれば、目標値補正部４２および測定結果補正部４４により、出力信号の目標値および測定結果を補正するので、設定電圧記録部２４に記録されている、入力信号が所定の周波数（例えば、2GHz）における所定対応関係を使用して、入力信号が所定の周波数ではない場合であっても、出力信号の測定結果が目標値に近くなりやすくすることができる。
【０１０９】
第三の実施形態
第三の実施形態は、第一の実施形態および第二の実施形態を組み合わせたものに相当する。
【０１１０】
図１０は、本発明の第三の実施形態にかかる出力制御システム１の構成を示すブロック図である。出力制御システム１は、可変ゲイン減衰器（振幅変化器）２、Ａ／Ｄ変換器４、Ｄ／Ａ変換器６、入力信号源１０、減衰量設定部１２、変化量設定部１３、1.25dBステップ減衰器（離散的減衰器）１４、電力測定部１６、測定結果変化器１８、目標電力入力部２０、スイッチ２２、設定電圧記録部（関係記録部）２４、電圧設定部（制御信号設定部）２６、減算器３２、フリップフロップ３４、加算器３６、周波数特性記録部４０、目標値補正部４２、測定結果補正部４４を備える。
【０１１１】
本発明の第三の実施形態にかかる出力制御システム１は、第一の実施形態にかかる出力制御システム１の測定結果変化器１８と減算器３２の間に、第二の実施形態にかかる測定結果補正部４４を配置し、第一の実施形態にかかる目標電力入力部２０と、スイッチ２２および減算器３２との間に、第二の実施形態にかかる目標値補正部４２を配置し、さらに、第二の実施形態にかかる周波数特性記録部４０を設けたものに相当する。
【０１１２】
なお、測定結果補正部４４は、入力信号の周波数finに応じて、変化された出力信号の測定結果を、測定結果変化器１８から受け、出力信号が変化された測定結果になるような制御信号の値に、所定対応関係において対応づけられた出力信号の値に補正する。
【０１１３】
本発明の第三の実施形態の動作は、第一および第二の実施形態と同様である。
【０１１４】
本発明の第三の実施形態によれば、第一および第二の実施形態と同様の効果を奏する。
【０１１５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分を実現するプログラムを記録したメディアを読み取らせて、ハードディスクにインストールする。このような方法でも、上記の機能を実現できる。
【図面の簡単な説明】
【０１１６】
【図１】本発明の第一の実施形態にかかる出力制御システム１の構成を示すブロック図である。
【図２】1.25dBステップ減衰器１４による減衰量および測定結果変化器１８による変化量を示す図である。
【図３】所定対応関係を示す図である。
【図４】第一の実施形態において、目標電力入力部２０の出力を、電圧設定部２６に与える状態の出力制御システム１の動作を説明するための図である。
【図５】第一の実施形態において、加算器３６の出力を、電圧設定部２６に与える状態の出力制御システム１の動作を説明するための図である。
【図６】本発明の第二の実施形態にかかる出力制御システム１の構成を示すブロック図である。
【図７】目標値補正部４２による出力信号の目標値の補正法を説明するための図である。
【図８】第二の実施形態において、目標電力入力部２０の出力を、電圧設定部２６に与える状態の出力制御システム１の動作を説明するための図である。
【図９】第二の実施形態において、加算器３６の出力を、電圧設定部２６に与える状態の出力制御システム１の動作を説明するための図である。
【図１０】本発明の第三の実施形態にかかる出力制御システム１の構成を示すブロック図である。
【符号の説明】
【０１１７】
１  出力制御システム
２  可変ゲイン減衰器（振幅変化器）
４  Ａ／Ｄ変換器
６  Ｄ／Ａ変換器
１０  入力信号源
１２  減衰量設定部
１３  変化量設定部
１４  1.25dBステップ減衰器（離散的減衰器）
１６  電力測定部
１８  測定結果変化器
２０  目標電力入力部
２２  スイッチ
２４  設定電圧記録部（関係記録部）
２６  電圧設定部（制御信号設定部）
３２  減算器
３４  フリップフロップ
３６  加算器
４０  周波数特性記録部
４２  目標値補正部
４４  測定結果補正部
【図１】
2010011336.tif 000003
【図２】
2010011336.tif 000004
【図３】
2010011336.tif 000005
【図４】
2010011336.tif 000006
【図５】
2010011336.tif 000007
【図６】
2010011336.tif 000008
【図７】
2010011336.tif 000009
【図８】
2010011336.tif 000010
【図９】
2010011336.tif 000011
【図１０】
2010011336.tif 000012